(57)【要約】      （修正有）【課題】高利得で狭指向性と低利得で広指向性の２つの特性間で切替可能とすることができる指向性切替アンテナを提供する。【解決手段】電波放射面が平面状導体から成る第１導体２１と、第１面上の第１軸方向に離間して配置された第２導体２２と、電波放射面が平面状導体から成り、第１導体の電波放射面の法線方向に所定間隔を隔てて平行に配置された第３導体２３と、第３導体と同一形状で電波放射面が、第３導体が配置された第２面上であって、第１軸と平行な方向に離間して配置された第４導体２４とを有する。第１導体と第３導体に対して不平衡給電／受電する第１給電／受電線路と、第１導体と第２導体又は／及び第３導体と第４導体に対して平衡給電／受電する第２給電／受電線路と、送信／受信信号を伝送する線路を第１給電／受電線路と第２給電／受電線路との間で切り換える主スイッチを有する。【選択図】図１
2018182584.tif 000002
【特許請求の範囲】
【請求項１】
指向性切替アンテナにおいて、
電波放射／受波面が平面状導体から成る第１導体と、
前記第１導体と同一形状で電波放射／受波面が、前記第１導体の電波放射／受波面が配置された第１面上であって、該第１面上の第１軸方向に離間して配置された第２導体と、
電波放射／受波面が平面状導体から成り、前記第１導体の電波放射／受波面の法線方向に所定間隔を隔てて平行に配置された第３導体と、
前記第３導体と同一形状で電波放射／受波面が、前記第３導体が配置された第２面上であって、前記第１軸と平行な方向に離間して配置された第４導体と、
前記第１導体と前記第３導体に対して不平衡給電／受電する第１給電／受電線路と、
前記第１導体と前記第２導体又は／及び前記第３導体と前記第４導体に対して平衡給電／受電する第２給電／受電線路と、
送信／受信信号を伝送する線路を前記第１給電／受電線路と前記第２給電／受電線路との間で切り換える主スイッチと、
前記主スイッチを制御すると共に、前記主スイッチが第１給電／受電線路を選択するときは、前記第１導体と前記第２導体とを直列接続し、前記第３導体と前記第４導体とを直列接続して給電／受電し、前記主スイッチが前記第２給電／受電線路を選択するときは、前記第３導体と前記第４導体に給電／受電し又は／及び前記第１導体と前記第２導体とに給電／受電する制御装置と
を有することを特徴とする指向性切替アンテナ。
【請求項２】
前記制御装置は、前記第１導体と前記第２導体とを導通又は非導通とする第１スイッチと、前記第３導体と前記第４導体とを導通又は非導通とする第２スイッチと、を有し、
前記主スイッチが第１給電／受電線路を選択するときは、前記第１スイッチと前記第２スイッチを導通状態とし、前記主スイッチが第２給電／受電線路を選択するときは、前記第１スイッチと前記第２スイッチを非導通状態とする装置であることを特徴とする請求項１に記載の指向性切替アンテナ。
【請求項３】
前記制御装置は、前記第１導体と前記第３導体とを導通又は非導通とする第３スイッチと、前記第２導体と前記第４導体とを導通又は非導通とする第４スイッチと、を有し、
前記主スイッチが第１給電／受電線路を選択するときは、前記第３スイッチと前記第４スイッチを非導通状態とし、前記主スイッチが第２給電／受電線路を選択するときは、前記第３スイッチと前記第４スイッチを導通状態とする装置であることを特徴とする請求項２に記載の指向性切替アンテナ。
【請求項４】
誘電体基板を有し、前記第１面を前記誘電体基板の表面、前記第２面を前記誘電体基板の裏面としたことを特徴とする請求項１乃至請求項３の何れか１項に記載の指向性切替アンテナ。
【請求項５】
前記主スイッチには不平衡で給電／受電され、前記第２給電／受電線路には不平衡から平衡に変換するバランが挿入されていることを特徴とする請求項１乃至請求項４の何れか１項に記載の指向性切替アンテナ。
【請求項６】
前記第１導体は、前記第３導体の上への前記第１導体の正射影が前記第３導体の輪郭の内部に包含される形状と大きさを有し、
前記第２導体は、前記第４導体の上への前記第２導体の正射影が前記第４導体の輪郭の内部に包含される形状と大きさを有する
ことを特徴とする請求項１乃至請求項５の何れか１項に記載の指向性切替アンテナ。
【請求項７】
前記第１導体、前記第２導体、前記第３導体、前記第４導体は矩形形状であり、前記第１導体及び前記第２導体のそれぞれの第１長辺は、前記第１軸に平行な同一直線上に位置し、第３導体及び第４導体のそれぞれの第２長辺は、前記第１軸に平行な同一直線上に位置し、前記第２長辺は前記第１長辺よりも長いことを特徴とする請求項１乃至請求項６の何れか１項に記載の指向性切替アンテナ。
【発明の詳細な説明】
【技術分野】
【０００１】
本発明は、アンテナの指向性を切り換えることができる送受信アンテナに関する。特に、マイクロ波による電力伝送において指向性を切り換えることができる送信又は受信アンテナに関する。
【背景技術】
【０００２】
従来、指向性を切り換えるアンテナとして、下記特許文献１に開示の技術が知られている。導体上に４方に向かって４本の線状アンテナを立設して、この４本のアンテナを切り換えることで、指向性を制御するようにしている。また、下記特許文献２に開示の技術は、第１偏波を発生させる第１給電素子と、第２偏波を発生させる第２給電素子と、第１、第２の偏波を発生させる第３給電素子とを有する。そして、第１偏波と第２偏波との位相差を制御することで、指向性を制御することができる。
【先行技術文献】
【特許文献】
【０００３】
【特許文献１】特開２０１３−２０１６７５号公報
【特許文献２】特開２０１３−２０１４９６号公報
【発明の概要】
【発明が解決しようとする課題】
【０００４】
ところが、特許文献１に開示の技術では、アンテナ動作時には４本の導体のうち、１本しか使用されないため、全アンテナサイズが大きくなるという問題がある。また、このアンテナは指向性を変化し得るが、利得は変化させることができない。また、特許文献２に開示の技術では、第３給電素子は常時動作しているので、全アンテナの大きさは特許文献１に開示されているアンテナの大きさよりは小さくなるが、第１給電素子と第２給電素子とは独立して動作するので、十分に小型化されているわけではない。このアンテナも指向性は変化し得るが、利得は変化させることができない。
【０００５】
そこで、本発明の目的は、アンテナを大きくすることなく、指向性と利得とを共に変化させることができるようにすることである。
【課題を解決するための手段】
【０００６】
上記の課題を解決するための発明の構成は、指向性切替アンテナにおいて、電波放射／受波面が平面状導体から成る第１導体と、第１導体と同一形状で電波放射／受波面が、第１導体の電波放射／受波面が配置された第１面上であって、該第１面上の第１軸方向に離間して配置された第２導体と、電波放射／受波面が平面状導体から成り、第１導体の電波放射／受波面の法線方向に所定間隔を隔てて平行に配置された第３導体と、第３導体と同一形状で電波放射／受波面が、第３導体が配置された第２面上であって、第１軸と平行な方向に離間して配置された第４導体と、第１導体と第３導体に対して不平衡給電／受電する第１給電／受電線路と、第１導体と第２導体又は／及び第３導体と第４導体に対して平衡給電／受電する第２給電／受電線路と、送信／受信信号を伝送する線路を第１給電／受電線路と第２給電／受電線路との間で切り換える主スイッチと、主スイッチを制御すると共に、主スイッチが第１給電／受電線路を選択するときは、第１導体と第２導体とを直列接続し、第３導体と第４導体とを直列接続して給電／受電し、主スイッチが第２給電／受電線路を選択するときは、第３導体と第４導体に給電／受電し又は／及び第１導体と第２導体とに給電／受電する制御装置とを有することを特徴とする。
【０００７】
本発明は、第１導体と第２導体の電波放射／受波面の法線方向に狭い指向性を有する高利得のパッチアンテナとし、第３導体と第４導体（又は第１導体と第２導体）とによる広範囲指向性で低利得のダイポールアンテナとすることができる。同一アンテナであっても、パッチアンテナとダイポールアンテナとを切り換えることで、高利得で狭指向性と低利得で広指向性とを用途に分けて使い分けることができるアンテナとなる。
本発明のアンテナは送信アンテナにも受信アンテナにも用いることができる。電波放射／受波面は、送信アンテナの場合には電波放射面であり、受信アンテナの場合には受波面である。アンテナとしての機能は同一である。また、給電／受電、給電／受電線路の意味は、送信アンテナの場合には給電、給電線路であり、受信アンテナの場合には受電、受電線路である。給電、受電も機能としては同一であり、信号の流れる方向が異なるだけである。
【０００８】
本発明において、制御装置は、第１導体と第２導体とを導通又は非導通とする第１スイッチと、第３導体と第４導体とを導通又は非導通とする第２スイッチと、を有し、主スイッチが第１給電／受電線路を選択するときは、第１スイッチと第２スイッチを導通状態とし、主スイッチが第２給電／受電線路を選択するときは、第１スイッチと第２スイッチを非導通状態とする装置とすることが望ましい。なお、第１スイッチと第２スイッチが設けられる位置は任意であり、このスイッチを含めて制御装置としている。
さらに、上記において、制御装置は、第１導体と第３導体とを導通又は非導通とする第３スイッチと、第２導体と第４導体とを導通又は非導通とする第４スイッチと、を有し、主スイッチが第１給電／受電線路を選択するときは、第３スイッチと第４スイッチを非導通状態とし、主スイッチが第２給電／受電線路を選択するときは、第３スイッチと第４スイッチを導通状態とする装置とすることが望ましい。なお、上記と同様に、第３スイッチと第４スイッチが設けられる位置は任意であり、このスイッチを含めて制御装置としている。
【０００９】
上記発明において、誘電体基板を設け、第１面を誘電体基板の表面、第２面を誘電体基板の裏面としても良い。第１導体から第４導体は空間に配設されていても良いし、第１導体と第２導体とを薄い第１誘電体基板に配設し、第３導体と第４導体とを薄い第２誘電体基板に配設して第１誘電体基板と第２誘電体基板を間隙を設けて配設するようにしても良い。基板の表面と裏面とに導体板を配設することで、取り扱いの容易なアンテナとなる。      
【００１０】
また、主スイッチには不平衡で給電／受電され、第２給電／受電線路には不平衡から平衡に変換するバランが挿入されていることが望ましい。すなわち、ダイポールアンテナとして機能させる場合には、平衡給電、平衡受電することになる。
【００１１】
また、第１導体は、第３導体の上への第１導体の正射影が第３導体の輪郭の内部に包含される形状と大きさを有し、第２導体は、第４導体の上への第２導体の正射影が第４導体の輪郭の内部に包含される形状と大きさを有することが望ましい。
パッチアンテナとして機能させる場合に、第３導体と第４導体とを電波の反射板として作用させることができる。第３導体と第４導体は、放射又は受波する第１導体と第２導体の正射影を含んでいるので、電波の放射効率と受波効率が高くなる。
【００１２】
また、第１導体、第２導体、第３導体、第４導体は矩形形状であり、第１導体及び第２導体のそれぞれの第１長辺は、第１軸に平行な同一直線上に位置し、第３導体及び第４導体のそれぞれの第２長辺は、第１軸に平行な同一直線上に位置し、第２長辺は第１長辺よりも長くすることが望ましい。
第３導体の第２長辺と第４導体の第２長辺とを、実効的にダイポールアンテナとして機能させることができる。
【発明の効果】
【００１３】
本発明によると、アンテナを大きくすることなく簡単な構造で、高利得で狭指向性と低利得で広指向性の２つの特性間で切替可能とすることができる。よって、一つのアンテナをその特性の相違による２つの用途に用いることができる。
【図面の簡単な説明】
【００１４】
【図１】本発明の具体的な一実施例に係る指向性切替アンテナを示した構成図。
【図２】同実施例の制御装置の構成図。
【図３】他の実施例に係る指向性切替アンテナの構成図。
【図４】他の実施例に係る指向性切替アンテナの構成図。
【図５】実施例に係る指向性切替アンテナの反射特性を示す特性図。
【図６】実施例に係る指向性切替アンテナの入力インピーダンス、反射係数を示したスミスチャート。
【図７】実施例に係る指向性切替アンテナの使用例を示す説明図。
【図８】実施例に係る指向性切替アンテナの他の使用例を示す説明図。
【発明を実施するための形態】
【００１５】
以下、本発明の具体的な実施例について図を参照して説明するが、本発明は実施例に限定されるものではない。
【実施例１】
【００１６】
本実施例の指向性切替アンテナ１は、送信アンテナにも受信アンテナにも用いることができる。作用機能は同一であるので、説明を簡単にするため送信アンテナとして説明する。したがって、電波放射／受波面は電波放射面、給電／受電線路は給電線路と表記する。
【００１７】
１．導体の配置構造
図１は、本実施例に係る指向性切替アンテナ１の全体を示す構成図である。直方体の誘電体基板１０の表面１０ａには、長方形薄板の第１導体２１、第２導体２２が配設されている。誘電体基板１０の裏面１０ｂには、長方形薄板の第３導体２３、第４導体２４が配設されている。第１導体２１と第２導体２２とは同一形状で同一大きさである。第３導体２３と第４導体とは同一形状で同一大きさである。第３導体２３の電波放射面の面積は第１導体２１の電波放射面の面積よりも大きく、第４導体２４の電波放射面の面積は第２導体２２の電波放射面の面積よりも大きい。電波放射面は表面１０ａ、裏面１０ｂに平行な面のことである。第１導体２１を第３導体２３上に正射影するとき、その正射影は第３導体２３の輪郭の内部に含まれる。同様に、第２導体２２を第４導体２４上に正射影するとき、その正射影は第４導体２４の輪郭の内部に含まれる。
【００１８】
第１導体２１の長辺２１ａと第２導体２２の長辺２２ａとは第１軸方向であるｘ軸に平行な同一直線上に位置する。第３導体２３の長辺２３ａと第４導体２４の長辺２４ａとは第１軸方向であるｘ軸に平行な同一直線上に位置する。また、第１導体２１の表面１０ａ上であって第１軸に垂直なｙ軸方向に平行な短辺２１ｂと第３導体２３の短辺２３ｂのｘ軸方向における位置は同一である。短辺２１ｂの中点と短辺２３ｂの中点のｙ座標は一致している。同様に、第２導体２２の短辺２２ｂと第４導体２４の短辺２４ｂのｘ軸方向における位置は同一である。短辺２２ｂの中点と短辺２４ｂの中点のｙ座標は一致している。長辺２３ａは長辺２１ａより長く、短辺２３ｂは短辺２１ｂより長い。同様に、長辺２４ａは長辺２２ａより長く、短辺２４ｂは短辺２２ｂより長い。
【００１９】
２．パッチアンテナとダイポールアンテナ
第１導体２１と第２導体２２はパッチアンテナの放射素子として機能し、電波は電波放射面に垂直な方向（基板の表面１０ａに垂直なｚ軸）に放射される。第３導体２３と第４導体２４とはグランドに接続されて反射板の作用をする。
第３導体２３と第４導体２４の一対がダイポールアンテナとして作用する。特に、第３導体２３の長辺２３ａと第４導体２４の長辺２４ａとが励振辺となる。第１導体２１の長辺２１ａは第３導体２３の長辺２３ａより短く、第２導体２２の長辺２２ａは第４導体２４の長辺２４ａより短い。このため、実質上、長い方の長辺２３ａと長辺２４ａとがダイポールアンテナとして作用する。
【００２０】
３．給電線の配置
基板１０の表面１０ａ上に配設された制御装置４０に、給電線や給電経路を切り換える制御線が集束している。
（１）パッチアンテナとして作用させる第１給電線
表面１０ａ上を第１導体２１の外側短辺から制御装置４０のポートに至るまで不平衡給電の第１給電線の活線Ｌ１が配設され、裏面１０ｂには第３導体２３の外側短辺から制御装置４０のポートに至る第１給電線のグランド線Ｇが配設されている。グランド線Ｇはスルーホールを介して表面１０ａに引き出されている。また、第１導体２１と第２導体２２とを長辺方向に直列接続するための第１スイッチＳＷ１が基板１０の表面１０ａに配設され、第３導体２３と第４導体２２とを長辺方向に直列接続するための第２スイッチＳＷ２が裏面１０ｂに配設されている。そして、第１スイッチＳＷ１をオンオフ制御する制御線Ｃ１と、第２スイッチＳＷ２をオンオフ制御する制御線Ｃ２とが、制御装置４０のポートまで配線されている。
【００２１】
（２）ダイポールアンテナとして作用させる第２給電線
ダイポールアンテナとしては、長辺が長い方の第３導体２３と第４導体２４とに平衡給電すれば良い。したがって、第３導体２３の内側短辺２３ｂの中点から制御装置４０に至る第２給電線の一方であるＡ線Ｌ２が制御装置４０まで裏面１０ｂ上とスルーホールを介して表面１０ａ上に配設されている。また、第４導体２４の内側短辺２４ｂの中点から制御装置４０に至る第２給電線の他方であるＢ線Ｌ３がが制御装置４０まで裏面１０ｂ上とスルーホールを介して表面１０ａ上に配設されている。
【００２２】
４．切替制御
（１）制御装置の構成
制御装置４０は図２に示すように、不平衡の給電線である主線５０と、不平衡給電線である第１給電線路５１と平衡給電線である第２給電線路５２とを切替る主スイッチＭＳを有している。第２給電線路５２には不平衡から平衡に変換するバラン５３が設けられている。
【００２３】
（２）パッチアンテナの選択
スイッチＳＷ１とスイッチＳＷ２とを導通状態にするために、制御線Ｃ１と制御線Ｃ２とにＨレベル信号を送出する。これにより、第１導体２１と第２導体２２は長辺方向に直列接続された状態となる。また、第３導体２３と第４導体２４も長辺方向に直列接続された状態となる。次に、主スイッチＭＳは、主線５０と第１給電線路５１とを接続する状態とされる。これにより、第１導体２１と第２導体２２の直列接続と、第３導体２３と第４導体２４との直列接続に不平衡給電される。この結果、第１導体２１と第２導体２２の電波放射面に垂直な方向（z 軸方向) に指向性を有するパッチアンテナとなる。共振周波数は第１導体２１の外側短辺と第２導体２２の外側短辺との間隔で決定することができる。グランドに接続された第３導体２３と第４導体２４は、第１導体２１と第２導体２２の裏面から放射された電波を表面１０ａ側に反射させる反射板の作用をする。
【００２４】
（３）ダイポールアンテナの選択
スイッチＳＷ１とスイッチＳＷ２とを非導通状態にするために、制御線Ｃ１と制御線Ｃ２とにＬレベル信号を送出する。図１のスイッチＳＷ１とスイッチＳＷ２は、ダイポールアンテナとして動作させる状態を示している。これにより、第１導体２１と第２導体２２は絶縁分離される。同様に、第３導体２３と第４導体２４も絶縁分離される。次に、主スイッチＭＳは、主線５０と第２給電線路５２とを接続する状態とされる。これにより、第３導体２３は平衡給電線路のＡ線Ｌ２を介して内側短辺２３ｂから給電され、第４導体２４は平衡給電線路のＢ線Ｌ３を介して内側短辺２４ｂから給電される。これにより、第３導体２３と第４導体２４とは両内側短辺２３ｂ、２４ｂを励振点として励振される。共振周波数は第３導体２３の外側短辺と第４導体２４の外側短辺との間隔で決定することができる。なお、スイッチＳＷ１，ＳＷ２はトランジスタ、リレーなど任意のスイッチで構成することができる。
【実施例２】
【００２５】
１．構成
図１に示す構成で、ダイポールアンテナを構成した場合に、第１導体２１と第２導体２２が比較的大きい面積の場合には、第１導体２１と第２導体２２が、ダイポールアンテナとして機能する第３導体２３と第４導体２４からの放射に影響を与える場合がある。そこで、図３、図４に示すように、第１導体２１と第３導体２３とをｚ方向に導通、非導通とする第３スイッチＳＷ３と、そのスイッチをオンオフ制御する制御線Ｃ３を制御装置４０まで配線しても良い。同様に、第２導体２２と第４導体２４とをｚ方向に導通、非導通とする第４スイッチＳＷ４とそのスイッチをオンオフ制御する制御線Ｃ４を制御装置４０まで配線しても良い。そして、第１導体２１の内側短辺２１ｂと、第２導体２２の内側短辺２２ｂとから、それぞれ、平衡給電する第２給電線路の一方のＡ線Ｌ４と、他方のＢ線Ｌ５を、制御装置４０まで配線する。この場合には、図１の第３導体２３と第４導体とを単独で励振するＡ線Ｌ２、Ｂ線Ｌ３は不要となる。
【００２６】
２．パッチアンテナの選択
制御装置４０の動作は、実施例１と同一である。すなわち、図３に示すように、スイッチＳＷ１とスイッチＳＷ２とが導通状態にされ、スイッチＳＷ３とスイッチＳＷ４とが非導通状態とされる。
【００２７】
３．ダイポールアンテナの選択
制御装置４０の主スイッチＭＳは、平衡給電線路の第２給電線路５２の側に切替えられる。そして、図４に示すように、第１スイッチＳＷ１と第２スイッチＳＷ２は制御線Ｃ１、Ｃ２により非導通状態とされる。第３スイッチＳＷ３と第４スイッチＳＷ４は制御線Ｃ３、Ｃ４により導通状態とされる。これにより、第１導体２１と第３導体２３の組と、第２導体２２と第４導体２４の組との２組に、平衡給電される。これらの組がダイポールアンテナとして機能することになる。
【００２８】
［利得と指向特性］
１．パッチアンテナを選択した場合
第１導体２１と第２導体２２の電波放射面の法線方向を中心とするビーム幅１４８．２°の指向性が得られた。法線方向の利得は５．１５ｄＢｉであった。共振周波数は第１導体２１の長辺２１ａと第２導体２２の長辺２２ａとの長さで変化させることができる。
【００２９】
２．ダイポールアンテナを選択した場合
第１導体２１と第２導体２２の法線方向（＋ｚ軸方向）から第３導体２３と第４導体２４の法線方向（−ｚ軸方向）にかけて全方位、３６０°のビーム幅の指向性が得られた。＋ｚ軸方向の利得は２．０４８ｄＢｉ、−ｚ軸方向の利得は１．７ｄＢｉであった。この場合には、共振周波数は、第３導体２３の長辺２３ａと第４導体２４の長辺２４ａの長さにより変化させることができる。
【００３０】
３．共振周波数の独立制御
パッチアンテナの共振周波数は、第１導体２１の長辺２１ａと第２導体２２の長辺２２ａとの長さで制御でき、ダイポールアンテナの共振周波数は、第３導体２３の長辺２３ａと第４導体２４の長辺２４ａの長さにより独立して制御することができる。図５に反射特性を示す。パッチアンテナでは２．５４ＧＨｚ、ダイポールアンテナでは２．６ＧＨｚの異なる共振周波数が得られていることが分かる。また、入力インピーダンスを図６に示す。それぞれの共振周波数において、パッチアンテナとダイポールアンテナの入力インピーダンスを等しくすることができる。
【００３１】
［使用例］
本実施例の指向性切替アンテナの使用例を図７に示す。本アンテナ１を車室内に設ける。アンテナ１をパッチアンテナとして使用する場合に、基板１０の表面１０ａの法線方向に携帯電話などの電子機器を設置して、これを充電することができる。これにより、パッチアンテナの高利得と狭指向性を利用して、マイクロ波送電により携帯電話を効率よく充電することができる。また、車室内の広い周囲にＲＦ−ＩＤ等の電子機器やセンサが設けられていることを想定する。この場合に、ダイポールアンテナの全方位の広範囲指向性を利用して、これらの電子機器に対して電力伝送や情報の交換を実施することができる。
【００３２】
また、図８に示すように、本実施例のアンテナ１をｘ軸方向に、本実施例のアンテナ１’を、これに直交するｙ軸方向に２つ設ける。これにより円偏波の電磁波を放射、受波することが可能となる。
【００３３】
なお、実施例１におけるスイッチＳＷ１、ＳＷ２、実施例２におけるスイッチＳＷ１、ＳＷ２、ＳＷ３、ＳＷ４を設ける位置は任意である。例えば、制御装置４０の主スイッチＭＳが配設されている領域まで、スイッチの両端から引込線を設けて、各スイッチをその領域に設けるようにしても良い。
【産業上の利用可能性】
【００３４】
本発明は、高利得狭指向性のパッチアンテと低利得広指向性のダイポールアンテナを切替えられ、各種の電力伝送や通信に用いることができる。
【符号の説明】
【００３５】
１…誘電体基板
２１…第１導体
２２…第２導体
２３…第３導体
２４…第４導体
４０…制御装置
ＭＳ…主スイッチ
Ｌ１，Ｇ，５１…第１給電線路
Ｌ２、Ｌ３，Ｌ４、Ｌ５…第２給電線路
Ｃ１、Ｃ２、Ｃ３、Ｃ４…制御線
【図１】
2018182584.tif 000003
【図２】
2018182584.tif 000004
【図３】
2018182584.tif 000005
【図４】
2018182584.tif 000006
【図５】
2018182584.tif 000007
【図６】
2018182584.tif 000008
【図７】
2018182584.tif 000009
【図８】
2018182584.tif 000010